(57)【要約】【課題】冷蔵室用冷却器の除霜水を受ける排水樋を、冷蔵室の後方の下部に設けることにより、冷蔵室用冷却器の下部に戻す冷気戻しダクトの容積を広くすることができ、冷気戻しダクトの効率を向上できる冷蔵庫を提供する。【解決手段】断熱箱体の内部に、冷蔵室７と野菜室８と冷凍室９とを仕切体５，６  により区画形成し、冷蔵室後方の上部の冷気生成室１６の下部に、冷蔵室専用の第１冷却器１３を設け、第１冷却器の上方に第１送風機１４を設け、下方に第１排水樋１８を設ける一方、冷凍室後方の上部の冷気生成室の下部に冷凍室専用の第２冷却器２１を設け、第２冷却器の上方に第１送風機２２を設け、下方に第２排水樋２３を設け、第１冷却器及び第２冷却器から流下する除霜水を排水管２４ａ，２４ｂ  を通して、機械室２６内に導き、圧縮機２５の近傍に設けられ除霜水を受ける蒸発皿２７からなる冷蔵庫において、第１排水樋を冷蔵室後方の下部に設けた。【選択図】  図１
2004257647.tif 000002
【特許請求の範囲】
【請求項１】
外箱と内箱間に断熱材を充填してなる断熱箱体の内部に、少なくとも上部に冷蔵室と下部に冷凍室とを仕切体により区画形成し、前記冷蔵室後方の上部に冷気吹出口、下部に冷気戻り口を有する仕切材により仕切られた冷気生成室を形成し、同冷気生成室の下部に第１冷却器を設け、同第１冷却器の上方に冷気強制循環用の第１送風機を設け、下方に第１排水樋を設ける一方、前記冷凍室後方の上部に冷気吹出口、下部に冷気戻り口を有する仕切材により仕切られた冷気生成室を形成し、同冷気生成室の下部に第２冷却器を設け、同第２冷却器の上方に冷気強制循環用の第２送風機を設けるとともに、下方に第２排水樋を設け、前記第１冷却器および前記第２冷却器から流下する除霜水を排水管を通して、前記断熱箱体の下部に形成された機械室内に導き、圧縮機の近傍に設けられ前記除霜水を受ける蒸発皿からなる冷蔵庫において、
前記第１排水樋を前記冷蔵室後方の下部に設けてなることを特徴とする冷蔵庫。
【請求項２】
前記第１冷却器の前面下部に、前記除霜水が前記冷蔵室側へ飛散するのを防止する水切り板を設けてなることを特徴とする請求項１記載の冷蔵庫。
【請求項３】
前記第１冷却器の背面下部に、前記除霜水を前記内箱背面に導く導水材を設けてなることを特徴とする請求項１記載の冷蔵庫。
【請求項４】
前記第１冷却器と前記第１排水樋との中間に氷受け部材を設けてなることを特徴とする請求項１記載の冷蔵庫。
【請求項５】
前記氷受け部材の一側が前記内箱背面に当接するように下方へ傾斜させてなることを特徴とする請求項４記載の冷蔵庫。
【請求項６】
前記第１排水樋を前記冷蔵室下部の前記仕切体に一体に形成してなることを特徴とする請求項１記載の冷蔵庫。
【請求項７】
前記第１冷却器のフィンの断面形状を、下部が前記内箱背面に向け、下方に傾斜させてなることを特徴とする請求項１記載の冷蔵庫。
【発明の詳細な説明】
【０００１】
【発明の属する技術分野】
本発明は冷蔵庫に係わり、詳しくは、冷蔵室後方の冷却器からの除霜水を受ける排水樋の配置構造に関するものである。
【０００２】
【従来の技術】
従来のこの種の冷蔵庫には例えば図６に示すようものが開示されている（特許文献１参照。）。
図６において、３０は冷蔵庫本体であって、断熱材３１によって、内部には貯蔵室が形成されている。貯蔵室は上部より冷蔵室３２，野菜室３３，冷凍室３４より構成されている。３５は冷蔵室３２の上部後方に備えた第１の冷却器であり、３６は前記第１の冷却器３５の上部に備えられた第１の送風機である。
【０００３】
また、第１の冷却器３５の背面で断熱材３１中には第１の冷却器３５の除霜ヒータとなる面状ヒータ３７が備えられている。３８は第１の冷却器３５の下部に備えた除霜水の第１の水受皿である。３９は第１の水受皿３７より下方に延び断熱材３１内に埋設されて、冷蔵庫本体３０下部に備えられた除霜水の蒸発皿４０に連通している第１の排水管である。
【０００４】
冷蔵室３２内には複数の棚４１が備えられている。冷蔵室３２の下部には収納区画室４２が備えられている。４３は野菜室３３の上部に備えられた第２の冷却器であり、例えば、アルミ板などの良熱伝導性の材料で形成されている。４４は第２の冷却器４３の後方下部に備えた除霜水の第２の水受皿である。
また、冷蔵室３２と野菜室３３は仕切板４５で区画されており前記仕切板４５の前部には冷蔵室３２と野菜室３３を連通する連通孔４６が備えられている。
【０００５】
４７は、第２の水受皿４４より下方に延び断熱材３１内に埋設されて、蒸発皿４０に連通している第２の排水管である。４８は冷凍室３４の後方に備えた第３の冷却器であり、上方には冷気を送風する第２の送風機４９が備えられている。５０は第３の冷却器４８の下部に備えられた除霜ヒ−タである。また冷凍室３４の後方には蒸発皿４０と横並びに圧縮機５１が配置されている。
５２は、第３の冷却器４８の下部に備えた除霜水の第３の水受皿である。５３は第３の水受皿５２より庫外に導いた第３の排水管であり、蒸発皿４０に連通している。
【０００６】
上記のような冷蔵庫において、冷蔵室３２の冷気を庫内容積を減らさずに、冷蔵室３２の上部後方に備えた第１の冷却器の下部に戻す冷気ダクトＤの容積を広げ、冷気ダクトＤの効率を良くすることが望まれていた。
しかしながら、上記特許文献１の構成による冷蔵庫では、第１の冷却器３５の除霜水を受ける第１の水受皿（排水樋ともいう）３８が、第１の冷却器３５の下部に設けられているため、冷気ダクトＤの容積が狭くなり、冷気ダクトＤの効率が悪くなっていた。また、これを広げるためには庫内側に出張らせる必要があり庫内容積が減ってしまうという欠点を有していた。
【０００７】
【特許文献１】
特開２００２−１３０９１９号公報（第３頁、第１図）
【０００８】
【発明が解決しようとする課題】
本発明は上記問題点に鑑みなされたもので、冷蔵室用冷却器の除霜水を受ける排水樋を、冷蔵室の後方の下部に設けてた構成とすることにより、庫内容積を減らすことなく、冷蔵室用冷却器の下部に戻す冷気戻しダクトの容積を広くすることができ、冷気戻しダクトの効率を上げることができる冷蔵庫を提供することを目的としている。
【０００９】
【課題を解決するための手段】
本発明は上記の課題を解決するためなされたもので、外箱と内箱間に断熱材を充填してなる断熱箱体の内部に、少なくとも上部に冷蔵室と下部に冷凍室とを仕切体により区画形成し、前記冷蔵室後方の上部に冷気吹出口、下部に冷気戻り口を有する仕切材により仕切られた冷気生成室を形成し、同冷気生成室の下部に第１冷却器を設け、同第１冷却器の上方に冷気強制循環用の第１送風機を設けるとともに、下方に第１排水樋を設ける一方、前記冷凍室後方の上部に冷気吹出口、下部に冷気戻り口を有する仕切材により仕切られた冷気生成室を形成し、同冷気生成室の下部に第２冷却器を設け、同第２冷却器の上方に冷気強制循環用の第２送風機を設けるとともに、下方に第２排水樋を設け、前記第１冷却器および前記第２冷却器から流下する除霜水を排水管を通して、前記断熱箱体の下部に形成された機械室内に導き、圧縮機の近傍に設けられ前記除霜水を受ける蒸発皿からなる冷蔵庫において、
前記第１排水樋を前記冷蔵室後方の下部に設けてなる構成となっている。
【００１０】
また、前記第１冷却器の前面下部に、前記除霜水が前記冷蔵室側へ飛散するのを防止する水切り板を設けてなる構成となっている。
【００１１】
また、前記第１冷却器の背面下部に、前記除霜水を前記内箱背面に導く導水材を設けてなる構成となっている。
【００１２】
また、前記第１冷却器と前記第１排水樋の間に氷受け部材を設けてなる構成となっている。
【００１３】
また、前記氷受け部材の一側が前記内箱表背に当接するように下方へ傾斜させてなる構成となっている。
【００１４】
また、前記第１排水樋を前記冷蔵室下部の前記仕切体に一体に形成してなる構成となっている。
【００１５】
また、前記第１冷却器のフィンの断面形状を、下部が前記内箱背面に向け、下方に傾斜させてなる構成となっている。
【００１６】
【発明の実施の形態】
以下、本発明の実施の形態を図面に基づいて説明する。
図１は本発明における冷蔵庫の側断面図、図２は本発明の第１冷却器下部に除霜ヒータがない場合の要部拡大断面図、図３は第１冷却器下部に除霜ヒータがある場合の要部拡大断面図、図４は本発明における排水樋の斜視図である。
図１〜４において、１は鋼板製の外箱２と、合成樹脂製の内箱３と、発泡断熱材４等からなる断熱箱体（冷蔵庫本体ともいう）で、その内部に仕切体５、６を設けて上段に冷蔵室７、中段に野菜室８、下段に冷凍室９を区画形成し、冷蔵室７の前面には扉１０、野菜室８の前面には扉１１、冷凍室９の前面には扉１２が夫々装着されている。
【００１７】
前記冷蔵室７の後方上部には、同冷蔵室７専用の第１冷却器１３と、同第１冷却器１３で生成された冷気を前記冷蔵室７と前記野菜室８とに強制循環させる第１送風機１４とを備え、仕切材１５で仕切られた冷気生成室１６が設けられている。前記仕切体１５には前記第１送風機１４に対応した送風口１４ａが設けられている。
７ａは冷蔵室７の後部に設けられた前面カバーで、正面には冷蔵室７に対応した複数の冷気吸込口１５ａ、１５ｂ、１５ｃが設けられており、また、前記仕切体５には前記野菜室８からの冷気吸込口５ａが設けられ、前記前面カバーの背面に前記冷気吸込口１５ａ、１５ｂ、１５ｃおよび５ａに吸い込まれた冷気を前記第１冷却器１３の下部に戻す冷気戻しダクト１７が形成されている。
【００１８】
前記冷蔵室７の後方下部に、前記第１冷却器１３からの除霜水を受ける第１排水樋１８を設けた構成となっている。これにより、前記冷気戻しダクト１７の容積を広くすることができ、また、従来例のように、前記第１冷却器１３の真下に排水樋がないため、前記冷蔵室７からの冷気を前記第１冷却器１３の下部に効果的に戻すことができ、冷気戻しダクト１７の効率をより上げることができる。
【００１９】
前記冷凍室９の後方の上部に冷気吹出口１９ａ  を、下部に冷気戻り口１９ｂ  を有する仕切材１９により仕切られた冷気生成室２０を形成し、同冷気生成室２０の下部に前記冷凍室９専用の第２冷却器２１を設け、同第２冷却器２１の上方に、生成された冷気を冷凍室９に強制循環させる第２送風機２２を設けるとともに、下方に前記第２冷却器２１からの除霜水を受ける第２排水樋２３を設けた構成となっている。
【００２０】
前記第１冷却器１３の除霜方法として、図１および図２に示すように、除霜ヒータを用いず、冷蔵室７の冷気（比較的温度が高い）を前記第１送風機１４で強制循環させ除霜する方法と、図３に示すように、前記第１冷却器１３の下部に除霜ヒータＨ１を設け、同除霜ヒータＨ１の上部に、前記第１冷却器１３から滴下する除霜水を防滴するための防滴カバーＫ１を設け、前記第１冷却器１３が着霜すると、除霜ヒータＨ１を加熱して除霜する構成となっている。
【００２１】
また、前記第２冷却器２１は冷気温度が低いため、第２冷却器２１の下部に除霜ヒータＨ２を設け、同除霜ヒータＨ２の上部に、前記第１冷却器２１から滴下する除霜水を防滴するための防滴カバーＫ２を設け、前記第１冷却器２１が着霜すると、除霜ヒータＨ１を加熱して除霜する構成となっている。
【００２２】
前記第１冷却器１３および第２冷却器２１から、前記第１排水樋１８および第２排水樋２３に流下した除霜水は、排水管２４ａ，２３ｂ  を介して圧縮機２５等が配置された機械室２６内の蒸発皿２７に流入し、蒸発させるようになっている。
【００２３】
また、前記第１冷却器１３の前面下部に、同第１冷却器１３からの除霜水が前記冷蔵室７側へ飛散するのを防止する水切り板２８を設けた構成となっている。
ここで、前記第１冷却器１３の下部に除霜ヒータＨ１と防滴カバーＫ１を設け場合、前記水切り板２８の下端を、前記防滴カバーＫ１の上面に当接させ、除霜水が前記冷蔵室７側へ飛散するのを防止する。
【００２４】
また、前記第１冷却器１３の背面下部に、同第１冷却器１３からの除霜水を前記内箱３の背面に導く導水材２９を設け、除霜水が前記内箱３の背面を伝わって前記第１排水樋１８に流下する構成となっている。
【００２５】
また、前記第１冷却器１３と前記第１排水樋１８との中間に、複数の貫通孔を備えた氷受け部材２９ａ  を設け、同氷受け部材の一側が前記内箱３の背面に当接するように下方へ傾斜させた構成とすることにより、前記第１冷却器１３でできた氷が前記第１排水樋１８に落下して騒音が発生するのを防止することができる。
また、前記貫通孔は除霜水を下に流すとともに、冷気を通すことができる。
【００２６】
また、前記第１排水樋１８を前記冷蔵室７下部の前記仕切体５に一体に形成した構成とすることにより、組立工数が減りコスト的に有利となる。
【００２７】
図５は本発明における他の実施例を示したもので、前記第１冷却器１３のフィンの断面形状を、下部が前記内箱３の背面に向け、下方に傾斜させてなる構成となっている。これにより、前記第１冷却器１３からの除霜水を、傾斜部１３ａ  に沿って前記内箱３の背面を伝わせ、より効果的に前記第１排水樋１８に流下することができ、また、除霜水が前記冷蔵室７側へ飛散するのを防止することができるため、上記のような水切り板２８や導水材２９を省くことができる。
【００２８】
以上に説明したように、前記第１排水樋１８を前記冷蔵室７の後方の下部に設けてた構成とすることにより、庫内容積を減らすことなく、前記第１冷却器１３の下部に戻す冷気戻しダクト１７の容積を広くすることができ、また、従来例のように、第１冷却器１３の真下に排水樋がないため、冷気を第１冷却器１３の下部に、より効果的に戻すことができ、冷気戻しダクト１７の効率を向上でき、また前記第１排水樋１８と蒸発皿２７間の排水管２４ａ  を短くすることができる冷蔵庫となる。
【００２９】
【発明の効果】
以上説明したような冷蔵庫であれば、第１排水樋を冷蔵室の後方の下部に設けてた構成とすることにより、庫内容積を減らすことなく、第１冷却器の下部に戻す冷気戻しダクトの容積を広くすることができ、また、従来例のように、第１冷却器の真下に排水樋がないため、冷気を第１冷却器の下部に、より効果的に戻すことができ、冷気戻しダクトの効率を上げることができる冷蔵庫となる。
【図面の簡単な説明】
【図１】本発明による冷蔵庫の側断面図である。
【図２】本発明による第１冷却器下部に除霜ヒータがない場合の要部拡大断面図である。
【図３】本発明による第１冷却器下部に除霜ヒータがある場合の要部拡大断面図である。
【図４】本発明における排水樋の斜視図である。
【図５】本発明による他の実施例を示す要部拡大断面図である。
【図６】従来例を示す冷蔵庫の側断面図である。
【符号の説明】
１  断熱箱体（冷蔵庫本体）
２  外箱
３  内箱
５、６  仕切体
７  冷蔵室
８  野菜室
９  冷凍室
１３  第１冷却器
１４  第１送風機
１５，１９    仕切材
１６  冷気生成室
１７  冷気ダクト
１８  第１排水樋
２１  第２冷却器
２２  第２送風機
２３  第２排水樋
２４ａ，２４ｂ  排水管
２７    蒸発皿
２８  水切り板
２９    導水材
２９ａ  氷受け部材
【図１】
2004257647.tif 000003
【図２】
2004257647.tif 000004
【図３】
2004257647.tif 000005
【図４】
2004257647.tif 000006
【図５】
2004257647.tif 000007
【図６】
2004257647.tif 000008